(57)【要約】  【課題】本発明は、歌唱補助機能を備える車載用カラオケシステムに関し、カラオケ利用者に特別な操作や体勢を要求せずに、自動的に所望の搭乗者にのみ歌詞音声を聴取可能とすることを目的とする。  【解決手段】メインスピーカ１６の他に、各座席に対応して指向性スピーカ１６−１Ａ，１６−１Ｂ，１６−２Ａ，１６−２Ｂが配置され、また楽曲ＤＢ２５には楽曲毎に少なくとも演奏データ及び当該演奏データに同期した歌詞音声データが記憶され、入力端子検出手段３２が使用されているマイク１５を接続されているマイク入力端子１４の入力端子を検出することで使用マイク特定手段３９が使用されているマイクを特定し、当該使用マイク特定情報（Ｍ３）に基づいて出力調整手段３４が指向性スピーカ１６−２Ａを判別して切り替え、歌詞音声出力部３３からの歌詞音声信号を出力させる構成とする。  【選択図】    図１
2008233321.tif 000002
【特許請求の範囲】
【請求項１】
利用者が選曲したカラオケ楽曲の演奏データに基づきカラオケ演奏を行うに際して歌詞音声信号を出力させる歌唱補助機能を備える車載用カラオケシステムであって、
演奏信号及び歌唱音声信号を出力するメインスピーカの他に、各座席に対応して指向性スピーカが配置されるものであり、
楽曲データ記憶部、使用マイク特定手段、歌詞音声出力部及び出力切替手段を有し、
前記楽曲データ記憶部は、楽曲毎に、少なくとも演奏データ及び当該演奏データに同期した歌詞音声データを記憶し、
前記使用マイク特定手段は、使用されているマイクを特定して当該使用マイク特定情報を前記出力切替手段に送出し、
前記歌詞音声出力部は、演奏対象の楽曲の前記歌詞音声データに基づく歌詞音声信号を前記演奏信号に同期させて前記出力切替手段に出力させ、
前記出力切替手段は、前記使用マイク特定情報から前記指向性スピーカを判別して切り替え、前記歌詞音声出力部からの歌詞音声信号を出力させる、
ことを特徴とする歌唱補助機能を備える車載用カラオケシステム。
【請求項２】
請求項１記載の歌唱補助機能を備える車載用カラオケシステムであって、前記出力切替手段は、マイクが車内に配置されたマイク入力端子の何れかに接続されることによる前記使用マイク特定情報により前記歌詞音声信号を出力させる指向性スピーカを判別して切り替えることを特徴とする歌唱補助機能を備える車載用カラオケシステム。
【請求項３】
請求項１記載の歌唱補助機能を備える車載用カラオケシステムであって、前記出力切替手段は、車内にマイクＩＤを送信するマイクがそれぞれ配置され、送信されるマイクＩＤを受信することによる前記使用マイク特定情報により前記歌詞音声信号を出力させる指向性スピーカを判別して切り替えることを特徴とする歌唱補助機能を備える車載用カラオケシステム。
【発明の詳細な説明】
【技術分野】
【０００１】
本発明は、自動車内等に設置されてカラオケ演奏に伴うボーカルガイドの歌詞音声を出力する歌唱補助機能を備える車載用カラオケシステムに関する。
【背景技術】
【０００２】
近年、カラオケシステムは、カラオケ利用者に様々な歌唱アシスト情報を提供し、利用者の歌唱をボーカルガイドによりアシストするカラオケシステムも想到されている。このようなカラオケシステムの車載用の利用において、ボーカルガイドとなる歌詞音声の出力を少なくとも歌唱者のみに聴別可能であることが望まれる。
【０００３】
従来、利用者が歌い慣れていない曲や歌唱が非常に難しい曲を歌う際、利用者が伴奏音楽について行けない時にガイドボーカル音声を流すようにしたカラオケ演奏装置が登場している。このようなガイドボーカル機能では、通常、歌唱アシスト情報は空気振動で音を伝達する通常のメインスピーカ（音圧式スピーカ）から発せられるため、他者にも歌唱アシスト情報が聞こえることとなることから、他者に歌唱アシスト情報を聞かれてしまうことを歌唱者が好まないこともあると共に、歌唱アシスト情報と歌唱音声とが混同し、歌唱アシスト情報と歌唱音声とが紛らわしく聞こえてしまうこととなって好ましくない。
【０００４】
ところで、カラオケ演奏装置のガイドボーカルやナビゲーションシステム音声ガイドの出力、あるいは聴別をエリア毎に制御することが、以下の特許文献等で知られている。
【０００５】
【特許文献１】特開２００５−２４２０５７号公報
【特許文献２】特開２００５−２１７８０７号公報
【特許文献３】特開２００５−２４１２７１号公報
【０００６】
上記特許文献１には、人の骨を介して音楽や楽音を伝達する技術である骨伝導技術を車載用のカラオケシステムに採用し、歌唱アシスト情報をカラオケ演奏に伴って所定の条件で出力し、出力された歌唱アシスト情報を利用者に伝達するための骨伝導手段を附帯させ、当該骨伝導手段を利用者が着座するシート内に組み込むことが開示されている。
【０００７】
また、上記特許文献２には、複数個の座席を有し、各座席に登場する搭乗者にスピーカから出力される音声を聞かせるための車載用スピーカシステムに関して、それぞれのスピーカに指向性スピーカを用い、当該指向性スピーカを各座席に異なる音場を形成させて座席毎に独立の音声を再生するように配置させることが開示されている。
【０００８】
また、上記特許文献３には、音声ガイド付カーナビゲーションシステムに関し、運転者の近傍に音声ガイドを出力する指向性スピーカを配置すると共に、運転者の両耳近傍の位置に運転者専用スピーカと集音マイクを配置して、指向性スピーカより音声ガイドが出力されているときに集音マイクで周辺のオーディオ信号を集音し、当該オーディオ信号と逆送成分の信号を運転者専用スピーカより出力することにより、運転者のみに音声ガイドのみを聞こえる構成とすることが開示されている。
【発明の開示】
【発明が解決しようとする課題】
【０００９】
しかしながら、上記特許文献１のものは、骨伝導手段の骨伝導スピーカが着座シートのヘッドレスト部に組み込まれ、当該ヘッドレスト部に利用者の頭部が接触しているときに当該骨伝導スピーカが機能されるものであり、当該骨伝導スピーカの機能が果たされるためには常に頭部を接触状態としなければならない。また、上記特許文献２のものは、座席毎の指向性スピーカを独立で音声再生させるためには座席毎のリモコンにより分配機を制御させるものであることから、座席毎の着座者がそれぞれリモコン制御する必要があって煩雑であるという問題がある。
【００１０】
さらに、上記特許文献３のものは、基本的には音声ガイドのみを運転者のみに聞こえるようにしたものであり、オーディオ信号及び音声ガイド信号の何れかの音源を、運転者及び同乗者の何れかに聞かせるために他方を打ち消すものであることから、例えばカラオケにおける演奏とガイドボーカルの両方を同時に聞かせる必要性があるときには適用できないという問題がある。
【００１１】
そこで、本発明は上記課題に鑑みなされたもので、カラオケ利用者に特別な操作や体勢を要求せずに、自動的に所望の搭乗者にのみ歌詞音声を聴取可能とする歌唱補助機能を備える車載用カラオケシステムを提供することを目的とする。
【課題を解決するための手段】
【００１２】
上記課題を解決するために、請求項１の発明では、利用者が選曲したカラオケ楽曲の演奏データに基づきカラオケ演奏を行うに際して歌詞音声信号を出力させる歌唱補助機能を備える車載用カラオケシステムであって、演奏信号及び歌唱音声信号を出力するメインスピーカの他に、各座席に対応して指向性スピーカが配置されるものであり、楽曲データ記憶部、使用マイク特定手段、歌詞音声出力部及び出力切替手段を有し、前記楽曲データ記憶部は、楽曲毎に、少なくとも演奏データ及び当該演奏データに同期した歌詞音声データを記憶し、前記使用マイク特定手段は、使用されているマイクを特定して当該使用マイク特定情報を前記出力切替手段に送出し、前記歌詞音声出力部は、演奏対象の楽曲の前記歌詞音声データに基づく歌詞音声信号を前記演奏信号に同期させて前記出力切替手段に出力させ、前記出力切替手段は、前記使用マイク特定情報から前記指向性スピーカを判別して切り替え、前記歌詞音声出力部からの歌詞音声信号を出力させる、構成とする。
【００１３】
請求項２、３の発明では、「記出力切替手段は、マイクが車内に配置されたマイク入力端子の何れかに接続されることによる前記使用マイク特定情報により前記歌詞音声信号を出力させる指向性スピーカを判別して切り替える」構成であり、
「前記出力切替手段は、車内にマイクＩＤを送信するマイクがそれぞれ配置され、送信されるマイクＩＤを受信することによる前記使用マイク特定情報により前記歌詞音声信号を出力させる指向性スピーカを判別して切り替える」構成である。
【発明の効果】
【００１４】
本発明によれば、メインスピーカの他に、各座席に対応してそれぞれ指向性スピーカが配置され、また、楽曲データ記憶部には楽曲毎に、少なくとも演奏データ及び当該演奏データに同期した歌詞音声データが記憶され、演奏信号に同期した歌詞音声信号の出力先の指向性スピーカを、対応する使用マイク特定情報に基づいて切り替えさせて当該歌詞音声信号を出力させる構成とすることにより、カラオケ利用者に特別な操作や体勢を要求せずに、自動的に所望の搭乗者にのみ歌詞音声を聴取可能とすることができるものである。
【発明を実施するための最良の形態】
【００１５】
以下、本発明の最良の実施形態を図により説明する。
図１に、本発明に係る歌唱補助機能を備える車載用カラオケシステムの第１実施形態のブロック構成図を示す。図１において、歌唱補助機能を備える車載用カラオケシステム１１は、利用者が選曲したカラオケ楽曲の演奏データに基づきカラオケ演奏を行うもので、演奏に際して歌詞音声を出力させる機能を備えるものとして、カラオケ演奏装置１２と、当該カラオケ演奏装置１２に接続される表示部１３、マイク入力端子１４、メインスピーカ１６、指向性スピーカ１６−１Ａ，１６−１Ｂ，１６−２Ａ，１６−２Ｂ及びリモコン装置１７が接続される。当該マイク入力端子１４の何れかの入力端子（Ｍ１〜Ｍ４）にマイク１５が接続される。
【００１６】
ここで、上記表示部１３は、楽曲選曲表示やカラオケ演奏時の映像、歌詞テロップを表示するもので、後述の操作パネル３７と連動するユーザインタフェース機能を備える。上記ユーザインタフェース機能としては、例えば液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１７】
上記マイク入力端子１４は、車内の指向性スピーカ１６−１Ａ，１６−１Ｂ，１６−２Ａ，１６−２Ｂに対応した位置にそれぞれ配置した入力端子Ｍ１〜Ｍ４で構成される（図２で説明する）。マイク１５が接続される当該入力端子Ｍ１〜Ｍ４が使用マイク特定情報となり、マイク１５が接続されたマイク入力端子１４は、後述の入力端子検出手段３２において、例えば通電状態で検出される。図では、マイク１５がマイク入力端子１４の入力端子Ｍ３に接続されたものとして示している。
【００１８】
上記メインスピーカ１６は、演奏信号及び有線式若しくは無線式（ハンドフリー方式を含む）のマイク１５から入力される歌唱音声信号が出力される。図では有線式のマイク１５が用いられるものとしている。上記指向性スピーカ１６−１Ａ，１６−１Ｂ，１６−２Ａ，１６−２Ｂは、ガイドボーカルとしての歌詞音声の出力専用のもので、座席に対応して配置される（図２で説明する）。上記リモコン装置１７は、その構成は公知のもので十分であり、専ら歌唱楽曲を選曲や、歌唱中のキー設定、エコー設定等を行うためのものである。
【００１９】
上記カラオケ演奏装置１２は、バス２１、中央制御部２２、ＲＯＭ２３、ＲＡＭ２４、楽曲データ記憶部である楽曲ＤＢ（楽曲データベース）２５、楽曲検索手段２７、予約管理手段２８、再生制御部２９、音楽曲出力部３０、ミキシングアンプ３１、入力端子検出手段３２、歌詞音声出力部３３、出力切替手段３４、アンプ３５、操作入力ＩＦ（インタフェース）３６、操作パネル３７及び受信部３８を適宜備える。上記入力端子検出手段３２は使用マイク特定手段３９を備える。
【００２０】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすもので、例えば半導体メモリで構成され、仮想的にハードディスク上に構築される場合をも含む概念である。
【００２１】
上記楽曲ＤＢ２５は、楽曲コードで管理される所定数の楽曲データファイルを記憶しておくデータベースであり、詳細は図３で説明する。上記楽曲選択手段２７は、上記表示部１３（操作パネル３７）からの入力やリモコン装置１７からの入力によって利用者に楽曲を検索させて選曲するためのプログラムであり、ＲＡＭ２４に展開されて実行される。上記予約管理手段２８は、利用者がリモコン装置１７（又は操作パネル３７（表示部１３））を用いて選曲した楽曲を予約管理するものであって、選曲された楽曲に、選曲者の選択による歌詞音声出力の有無を関連付けて楽曲コード及び楽曲名をＲＡＭ２４に形成されるメモリ領域の予約待ち行列に記憶して管理するプログラムであり、ＲＡＭ２４に展開されて実行される（図４で説明する）。
【００２２】
上記再生制御部２９は、演奏時に、楽曲ＤＢ２５より抽出された楽曲データのうちの背景映像データ及び歌詞テロップデータ（歌詞文字データ）を当該楽曲の演奏データに同期させて表示部１３に出力する電子回路である。上記音楽曲出力部３０は、楽曲コードで楽曲ＤＢ２５より抽出された演奏データをデジタル再生し、アナログ変換してミキシングアンプ３１に出力する電子回路である。当該ミキシングアンプ３１は、入力端子検出手段３２を介して送られてくるマイク１５からの入力した歌唱者の歌唱音声信号と、当該音楽曲出力部３０より送られてくる演奏信号とをミキシングし、増幅してメインスピーカ１６より出力させるものである。
【００２３】
上記入力端子検出手段３２は、使用マイク特定手段を備え、所定の入力端子Ｍ１〜Ｍ４より送られてくるマイク１５からの歌唱音声信号をメインスピーカ１６より出力させるためにミキシングアンプ３０に送出すると共に、当該マイク１５が接続された入力端子Ｍ１〜Ｍ４を検出し、使用マイク特定手段３９が検出された入力端子からマイク１５が接続された使用マイク特定情報として出力切替手段３４に送出するプログラム乃至電子回路である。
【００２４】
上記歌詞音声出力部３３は、選曲楽曲に対応した歌詞音声データをデコードした歌詞音声信号を演奏データに同期させてアンプ３５に送出するプログラムないし電子回路である。ここで、同期とは、完全同期はもちろん、所定のタイムラグを含む概念である。当該アンプ３５は歌詞音声出力部３３からの歌詞音声信号を増幅して出力調整手段３４に出力する。上記出力切替手段３４は、マイク１５が車内に配置されたマイク入力端子１４の何れかの入力端子Ｍ１〜Ｍ４に接続されることによる使用マイク特定手段３９からの使用マイク特定情報（Ｍ３）により歌詞音声信号を出力させる指向性スピーカ１６−１Ａ，１６−１Ｂ，１６−２Ａ，１６−２Ｂを判別して切り替え、歌詞音声出力部３３からの歌詞音声信号を出力させるプログラム乃至電子回路である。
【００２５】
上記操作入力ＩＦ３６は、操作パネル３７及びリモコン装置１７からの送信信号を受信する受信部３８からの入力信号に対して整合性をとるためのプログラムないし電子回路である。当該操作パネル３７は、上記表示部１３のユーザインタフェース機能と連動して、エコーや左右バランス、メインスピーカ１６からの出力音量のボリウムの他、歌唱楽曲を選曲する操作ボタン等を含んだものである。
【００２６】
ここで、図２に、図１における車載用カラオケシステムの車内配置の説明図を示す。図２（Ａ）において、例えば乗用車４１には４つの座席があるものとして、ハンドル４２のある位置が運転者の座席となる。この乗用車４１の前方に、例えばカラオケ演奏装置１２が設けられ、その近傍に表示部１３が配置される。また、前方（後方又は前方と後方）にメインスピーカ１６が配置される。さらに、車内には、有線式のマイク１５とリモコン装置１７とが持ち運び自在に置かれる。
【００２７】
そして、各座席に対応したものであって、側面側に指向性スピーカ１６−１Ａ，１６−１Ｂ，１６−２Ａ，１６−２Ｂが設けられている。また、指向性スピーカ１６−１Ａ，１６−１Ｂ，１６−２Ａ，１６−２Ｂに対応したものであって、例えば並びでマイク入力端子１４を構成する入力端子Ｍ１〜Ｍ４がそれぞれ配置される。なお、各指向性スピーカ１６−１Ａ，１６−１Ｂ，１６−２Ａ，１６−２Ｂ及び各入力端子Ｍ１〜Ｍ４の配置を、例えば天井や座席シート部分（背もたれ、ヘッドレスト、アームレスト、前席にあってはダッシュボード、後席にあっては前席の背もたれやヘッドレスト）としてもよい。すなわち、各搭乗者それぞれのみに歌詞音声が聞こえる配置とされるものである。
【００２８】
例えば、前部右座席（運転席）に対して第１指向性スピーカ１６−１Ａ及び入力端子Ｍ１、前部左座席（助手席）に対して第２指向性スピーカ１６−１Ｂ及び入力端子Ｍ２、後部右座席に対して第３指向性スピーカ１６−２Ａ及び入力端子Ｍ３、後部左座席に対して第４指向性スピーカ１６−２Ｂ及び入力端子Ｍ４が配置される。
【００２９】
例えば、図２（Ｂ）に示すように、第３指向性スピーカ１６−２Ａ対応する入力端子Ｍ３にマイク１５が接続された場合、メインスピーカ１５より演奏信号が出力され、第３指向性スピーカ１５−２Ａより歌詞音声信号が出力されることとなる。すなわち、演奏及び歌唱音声は搭乗者全員に聴取され、後部右座席に着座した歌唱者に対してのみ歌詞音声が聴取可能となるものである。
【００３０】
また、図３に、図１の楽曲ＤＢに記憶されている楽曲データファイルの説明図を示す。図３において、楽曲ＤＢ２５に記憶されている各楽曲の楽曲データファイルは、トラック１〜３に同期された演奏データ、歌詞音声データ及び背景映像データで構成される。演奏データは、例えばＭＩＤＩ（登録商標）データやＭＰ３データのもので、音楽曲出力部３０でデコードされてメインスピーカ１６より出力される。
【００３１】
また、歌詞音声データは、演奏データに同期して歌唱される上記演奏データと同形式の音声データであり、歌詞音声出力部３３でデコードされて所定の指向性スピーカ１５−Ｎより出力される。そして、背景映像データは、映像データと歌詞テロップデータより構成されるもので、当該映像データは例えばＭＰＥＧデータであり、当該歌詞テロップデータは演奏データに同期された楽曲の歌詞文字データである。
【００３２】
続いて、図４に、図１の楽曲予約表示画面及び予約管理手段における予約待ち行列の説明図を示す。図４（Ａ）は、楽曲予約のための画面が表示部１３上に表示された場合を示しており、所定の搭乗者が例えばリモコン装置１７を用いて楽曲検索手段２７の機能により所定の楽曲を検索し、又は他の同乗者に検索させて歌唱楽曲が選曲される際、例えば歌手名、曲名等で表示されると共に、当該画面において、ガイドボーカル（歌詞音声）の出力の有無が選択される。図では、ガイドボーカルの出力をオン状態として示している。当該選曲された楽曲は、予約管理手段２８がＲＡＭ２４に形成した予約待ち行列のメモリ領域に、図４（Ｂ）に示すように、当該予約される曲名、楽曲コードに歌詞音声（ガイドボーカル）出力の状態（ここではオン状態）を関連付けて登録管理するものである。
【００３３】
そこで、図５に、本発明における歌詞音声出力のフローチャートを示す。図５（Ａ）において、選択楽曲が演奏される際、中央制御部２２が予約管理手段２８の予約待ち行列より演奏対象の楽曲を特定する（ステップ（Ｓ１））。特定された楽曲に、付随情報として歌詞音声（ガイドボーカル）出力の情報が含まれていれば（Ｓ２）、当該中央制御部２２は、演奏対象の楽曲のデータファイルを楽曲ＤＢ２５より抽出し、トラック１の演奏データを音楽曲出力部３０に送出すると共に、トラック３の背景映像データを再生制御部２９に送出し、また、トラック２の歌詞音声データを歌詞音声出力部３３に送出する（Ｓ３）。
【００３４】
一方、特定された楽曲に、付随情報として歌詞音声（ガイドボーカル）出力の情報が含まれていない場合には（Ｓ２）、演奏対象の楽曲のデータファイルを楽曲ＤＢ２５より抽出し、トラック１の演奏データを音楽曲出力部３０に送出すると共に、トラック３の背景映像データを再生制御部２９に送出する（Ｓ４）。
【００３５】
続いて、図５（Ｂ）において、入力端子検出手段３２ではマイク１５からの歌唱音声信号をミキシングアンプ３１に送出すると共に、歌詞音声出力部３３が歌詞音声データをデコードした歌詞音声信号をアンプ３５に送出し、また、入力端子検出手段３２においてマイク１５が接続された入力端子Ｍ３を検出することで使用マイク特定手段３９が使用されているマイクの入力端子Ｍ３を特定し、使用マイク特定情報Ｍ３として出力切替手段３４に送出する（Ｓ１１）。また、出力切替手段３４が使用マイク特定情報Ｍ３に基づいて歌詞音声信号を出力させる第３指向性スピーカ（１６−２Ａ）を判別し、出力先を当該第３指向性スピーカ１６−２Ａに切り替える（Ｓ１２）。そして、歌詞音声出力部３３からの歌詞音声信号がアンプ３５により増幅され、出力切替手段３４により切り替えられた第３指向性スピーカ１５−２Ａより出力されるものである（Ｓ１３）。
【００３６】
このように、カラオケ利用者（各搭乗者）に特別な操作や体勢を要求せずに、自動的に所望の搭乗者にのみ歌詞音声を聴取可能とすることができるものである。
【００３７】
次に、図６に本発明に係る歌唱補助機能を備える車載用カラオケシステムの第２実施形態のブロック構成図を示すと共に、図７に図６の車載用カラオケシステムにおける指向性スピーカの車内配置の説明図を示す。図６に示す歌唱補助機能を備える車載用カラオケシステム１１は、上述のマイク入力端子１４及び入力端子検出手段３２に代えてマイク受信部４０を設けたもので、当該マイク受信部４０は使用マイク特定手段３９を備えたものである。使用されるマイクとして指向性スピーカ１６−１Ａ，１６−１Ｂ，１６−２Ａ，１６−２Ｂに対応する使用マイク特定情報としてのマイクＩＤ（Ａ〜Ｄ）を送信する無線式のマイク１５Ａ〜１５Ｄが配置されたものである。他の構成は図１と同様であり、説明を省略する。
【００３８】
すなわち上記マイク１５Ａ〜１５Ｄは、図７に示すように、指向性スピーカ１６−１Ａ，１６−１Ｂ，１６−２Ａ，１６−２Ｂに対応して４本用意され、例えば利用者の着座した座席において専用となり、それぞれは指向性スピーカ１６−１Ａ，１６−１Ｂ，１６−２Ａ，１６−２Ｂに応じた使用マイク特定情報としてのマイクＩＤ（Ａ〜Ｄ）がマイク受信部４０に対して使用時（例えば、マイクスイッチのオン、オフ）に発信される。例えば、マイク１５Ａ〜１５Ｄから送信される搬送波の周波数に対応した所定の識別信号をマイクＩＤとして認識することができる。
【００３９】
上記マイク受信部４０は、歌唱音声信号を受信してミキシングアンプ３１に送出すると共に、所定のマイク１５Ａ〜１５ＤよりマイクＩＤを受信することで使用されているマイクを特定し、当該マイクＩＤを使用マイク特定情報として出力切替手段３４に送出する電子回路である。この場合、出力切替手段３４は、上記マイク受信部４０がマイクＩＤを受信することによる使用マイク特定情報により歌詞音声信号を出力させる指向性スピーカを判別して切り替えるものである。
【００４０】
そこで、図８に、図６の歌詞音声信号の出力処理のフローチャートを示す。ここでは、楽曲演奏に際してマイク１５Ｃがスイッチオンされて歌唱音声信号が入力される場合として説明する。図８において、マイク受信部４０がマイク１５Ｃから送信された歌唱音声信号をミキシングアンプ３１に送出すると共に、歌詞音声出力部３３では、歌詞音声データをデコードした歌詞音声信号をアンプ３５に送出し、また、マイク受信部４０が、当該マイク１５Ｃから送信されたマイクＩＤを受信することで使用マイク特定手段３９が使用されているマイク１５Ｃを特定し、使用マイク特定情報Ｍ３として出力切替手段３４に送出する（Ｓ２１）。
【００４１】
出力切替手段３４では、使用マイク特定情報Ｍ３に基づいて歌詞音声信号を出力させる第３指向性スピーカ（１６−２Ａ）を判別し、出力先を当該第３指向性スピーカ１６−２Ａに切り替える（Ｓ２２）。そして、歌詞音声出力部３３からの歌詞音声信号がアンプ３５により増幅され、出力切替手段３４により切り替えられた第３指向性スピーカ１６−２Ａより出力されるものである（Ｓ２３）。
【００４２】
このように、使用されるマイクが無線式であっても、上記同様に、マイクから発信されるマイクＩＤより歌詞音声を出力させる指向性スピーカ１６−１Ａ，１６−１Ｂ，１６−２Ａ，１６−２Ｂを判別、特定することができることから、カラオケ利用者（各搭乗者）に特別な操作や体勢を要求せずに、自動的に所望の搭乗者にのみ歌詞音声を聴取可能とすることができるものである。
【００４３】
なお、上記第１実施形態及び第２実施形態において、使用されるマイクが複数として、マイク入力端子１４に接続され、また、マイク受信部４０に送信させる場合であっても適用することができるものである。
【産業上の利用可能性】
【００４４】
本発明の歌唱補助機能を備える車載用カラオケシステムは、自家用車や商用車（トラック、バスなど）の自動車、列車、飛行機、船舶内で設置されるカラオケシステムに利用可能である。
【図面の簡単な説明】
【００４５】
【図１】本発明に係る歌唱補助機能を備える車載用カラオケシステムの第１実施形態のブロック構成図である。
【図２】図１における車載用カラオケシステムの車内配置の説明図である。
【図３】図１の楽曲ＤＢに記憶されている楽曲データファイルの説明図である。
【図４】図１の楽曲予約表示画面及び予約管理手段における予約待ち行列の説明図である。
【図５】図１の歌詞音声信号の出力処理のフローチャートである。
【図６】本発明に係る歌唱補助機能を備える車載用カラオケシステムの第２実施形態のブロック構成図である。
【図７】図６の車載用カラオケシステムにおける指向性スピーカの車内配置の説明図である。
【図８】図６の歌詞音声信号の出力処理のフローチャートである。
【００４６】
１１            車載用カラオケシステム
１２            カラオケ演奏装置
１３            表示部
１４            マイク入力端子
１５，１５Ｎ    マイク
１６            メインスピーカ
１６−Ｎ        指向性スピーカ
３２            入力端子検出手段
３３            歌詞音声出力部
３４            出力切替手段
３９            紙葉マイク特定手段
４０            マイク受信部
４１            乗用車
【図１】
2008233321.tif 000003
【図２】
2008233321.tif 000004
【図３】
2008233321.tif 000005
【図４】
2008233321.tif 000006
【図５】
2008233321.tif 000007
【図６】
2008233321.tif 000008
【図７】
2008233321.tif 000009
【図８】
2008233321.tif 000010